(57)【要約】【課題】一部の電源からの電力供給が損なわれた場合、選択負荷遮断を行って他の電源の過負荷状態を解消することにより過電流による電源の遮断を回避し、他の電源からの供給電力量の有効利用を可能とし、必要な負荷の稼動を可能とした選択負荷遮断による電源遮断回避方法及び電源遮断回避システムを提供する。【解決手段】複数の電源２とこれら複数の電源２から電力の供給を受ける複数の負荷３とを有する電力系統１にあって、一部の電源２の出力低下或いは停止により他の電源２に設定値以上の電流の流れがあったとき、これを検知して複数の負荷３の中から予め選択してある負荷３を遮断する。【選択図】  図１
2004343945.tif 000002
【特許請求の範囲】
【請求項１】
複数の電源と該複数の電源から電力の供給を受ける複数の負荷とを有する電力系統にあって、一部の電源の出力低下或いは停止により他の電源に設定値以上の電流の流れがあったとき、これを検知して前記複数の負荷の中から予め選択してある負荷を遮断することを特徴とする選択負荷遮断による電源遮断回避方法。
【請求項２】
複数の電源と該複数の電源から電力の供給を受ける複数の負荷とを有する電力系統にあって、一部の電源の出力低下或いは停止により他の電源に設定値以上の電流の流れがあったときこれを検知する過電流検知手段と、該過電流検知手段による設定値以上の電流の流れがあったことの検知を受けて前記複数の負荷の中から予め選択してある負荷の遮断命令を出力する遮断命令出力手段と、該遮断命令出力手段からの前記遮断命令の出力を受けて前記選択された負荷を遮断する選択負荷遮断手段とを備えたことを特徴とする選択負荷遮断による電源遮断回避システム。
【発明の詳細な説明】
【０００１】
【発明の属する技術分野】
本発明は、電力系統における一部の電源の出力低下時或いは停止時に、複数の設備（以下負荷という）のうちの選択された負荷を遮断することにより、他の電源の過電流による遮断を回避することが可能な、選択負荷遮断による電源遮断回避方法及び電源遮断回避システムに関する。
【０００２】
【従来の技術】
複数の電源と該複数の電源から電力が供給される複数の負荷を有する電力系統においては、一部の電源からの電力供給が損なわれた場合でも、残った電源による電力供給は可能である。
【０００３】
従来から、複数の電源と該複数の電源から電力が供給される複数の負荷を有する電力系統においては、一部の電源からの電力供給が損なわれた場合、一部の負荷を選択して遮断し、遮断された負荷以外の負荷を他の電源によって稼動することを可能にする手段が講じられている。
【０００４】
かかる手段の一例として、一部の電源が損なわれることにより、特定の電源に過電流が生じたとき、該過電流が生じた電源を遮断し、電源の遮断によって、残された他の電源からの供給電力量に見合うように、前記負荷のうちの一部の負荷を選択して遮断する選択負荷遮断を働かせるシステムが知られている（例えば、特許文献１参照）。
【０００５】
【特許文献１】
特開平９−１３０９７４号公報
【０００６】
【発明が解決しようとする課題】
上記の特許文献１で開示されているシステムでは、選択負荷遮断を前記電源の遮断によって働かせるようになっているため、例えば一部の電源の出力低下等が原因で該電源からの電力供給が損なわれ供給電力量が減少しただけでは前記選択負荷遮断が働かず、この状態が続き、これにより、他の電源が過負荷状態となってこれに過電流が生じ、この電源の過電流継電器が動作してこの電源が遮断されたとき、この電源の遮断により、はじめて前記選択負荷遮断が働き、複数の負荷のうちの一部の負荷を選択して遮断するので、一部の電源の出力低下等により減少していた供給電力量が、前記過電流が生じた電源の遮断により更に減少することになり、その結果、稼働できる負荷も限られてしまうといった問題があった。
【０００７】
本発明の目的は、一部の電源からの電力供給が損なわれた場合、選択負荷遮断を行って他の電源の過負荷状態を解消することにより過電流による電源の遮断を回避し、他の電源からの供給電力量の有効利用を可能とし、必要な負荷の稼動を可能とした選択負荷遮断による電源遮断回避方法及び電源遮断回避システムを提供することにある。
【０００８】
【課題を解決するための手段】
上記目的を達成するために、請求項１に記載の発明は選択負荷遮断による電源遮断回避方法であって、複数の電源と該複数の電源から電力の供給を受ける複数の負荷とを有する電力系統にあって、一部の電源の出力低下或いは停止により他の電源に設定値以上の電流の流れがあったとき、これを検知して前記複数の負荷の中から予め選択してある負荷を遮断することを特徴とする。
【０００９】
請求項２に記載の発明は選択負荷遮断による電源遮断回避システムであって、複数の電源と該複数の電源から電力の供給を受ける複数の負荷とを有する電力系統にあって、一部の電源の出力低下或いは停止により他の電源に設定値以上の電流の流れがあったときこれを検知する過電流検知手段と、該過電流検知手段による設定値以上の電流の流れがあったことの検知を受けて前記複数の負荷の中から予め選択してある負荷の遮断命令を出力する遮断命令出力手段と、該遮断命令出力手段からの前記遮断命令の出力を受けて前記選択された負荷を遮断する選択負荷遮断手段とを備えたことを特徴とする。
【００１０】
このような本発明によれば、前記複数の電源のうち、一部の電源の出力低下或いは停止により供給電力量が減少して、他の電源が過負荷状態となり、これに設定値以上の電流の流れが生じると、これを検知して、前記複数の負荷の中から予め選択してある負荷を遮断するので、これにより、前記他の電源の過負荷状態が解消され、この電源の遮断を回避することができ、他の電源からの供給電力量の有効利用を可能とし、そして、前記遮断する負荷の選択にあっては、他の電源に対する過負荷状態を解消しこの電源の遮断を回避するものとして予め選択してある負荷が遮断されるので、設備稼働への影響を最小限に抑えることができる。
【００１１】
【発明の実施の形態】
以下、図面を参照して本発明に係る選択負荷遮断による電源遮断回避方法及び電源遮断回避システムの実施の形態の一例について説明する。
図１は本発明に係る選択負荷遮断による電源遮断回避システムの一例を示すブロック図である。
【００１２】
図において、１は電力系統であり、この電力系統１にあっては、複数の電源２から複数の負荷３に電力が供給されるようになっている。本例では、電源２は、第１発電機２ａ、第２発電機２ｂ、及び電力会社からの受電電圧を降圧するための変圧器２ｃから構成されている。また、前記負荷３は、前記第１発電機２ａ、第２発電機２ｂ、及び変圧器２ｃから電力の供給を受けて稼動する工場設備３ａ，３ｂ，３ｃ，３ｄから構成されている。
【００１３】
４は前記変圧器２ｃに備えられている過電流検知手段、５は遮断命令出力手段、６は選択負荷遮断手段、７は監視画面である。
【００１４】
前記過電流検知手段４は、前記第１発電機２ａ又は前記第２発電機２ｂの出力低下や停止といった事態が発生し、変圧器２ｃが過負荷状態となり、これに設定値以上の電流の流れが生じたとき、かかる設定値以上の電流の流れを検知し、これを過電流検知情報として前記遮断命令出力手段５に出力するようになっている。前記過電流検知情報は、本例では変圧器２ｃが過負荷状態になってから所定時間が経ったら前記遮断命令出力手段５に出力するようになっている。前記電流設定値及び所定時間値は、変圧器２ｃの過電流継電器との協調をとって任意に設定される。前記電流の設定値及び所定時間値は、オペレーターによって前記監視画面７上において設定される。
【００１５】
前記遮断命令出力手段５は、前記過電流検知手段４による前記設定値以上の電流の流れが所定時間継続してあったことの検知（前記過電流検知情報）を受けて、前記負荷３を構成する前記工場設備３ａ，３ｂ，３ｃ，３ｄの中から、予め選択されたものに対して遮断命令を出力するようになっている。前記遮断する負荷３の選択にあっては、変圧器２ｃに対する過負荷状態を解消しこの変圧器２ｃの遮断を回避するものとして、工場設備３ａ，３ｂ，３ｃ，３ｄに優先順位を付けて、この優先順位に従って選択されるようになっている。この負荷３の選択、即ち、工場設備３ａ，３ｂ，３ｃ，３ｄの優先順位は、オペレーターによって前記監視画面７上において行われる。
【００１６】
前記選択負荷遮断手段６は、各工場設備３ａ，３ｂ，３ｃ，３ｄにそれぞれ備えられ、これら各工場設備３ａ，３ｂ，３ｃ，３ｄを遮断する負荷遮断器６ａ，６ｂ，６ｃ，６ｄにより構成されている。そして、前記遮断命令出力手段５により出力された遮断命令は、前記工場設備３ａ，３ｂ，３ｃ，３ｄの中から選択されたものを遮断する負荷遮断器６ａ，６ｂ，６ｃ，６ｄのもとに出力されるようになっている。
【００１７】
前記監視画面７には、電力系統１の状態を監視するための画像が表示されるようになっている。この監視画面７上において、前記のように、オペレーターが、前記過電流検知手段４で検知する前記電流設定値及び所定時間値を設定し、及び前記負荷３の選択、即ち、工場設備３ａ，３ｂ，３ｃ，３ｄに優先順位を入力することができるようになっている。前記負荷３の選択、優先順位は、各設備の稼働状況や各工場設備３ａ，３ｂ，３ｃ，３ｄが工場において果たすべき役割の重要度等を考慮した上で決められる。このとき選択される負荷３は、単数、複数のいずれであってもよい。前記オペレーターによって設定されたこれらの各事項は、設定された後であっても、必要があれば自由に変更することができるようになっている。
【００１８】
次に、このように構成される選択負荷遮断システムにおける処理手順について図２に示すフローチャートに基づき説明する。
図２のフローチャートにおいて、ステップＳ１はオペレーターが監視画面７上において行う処理、ステップＳ２からステップＳ７までは過電流検知手段４が行う処理、ステップＳ８は遮断命令出力手段５が行う処理、ステップＳ９は選択負荷遮断手段６が行う処理である。これらステップＳ１からステップＳ９までの各ステップにしたがって処理が行われ、本発明の選択負荷遮断方法が実行される。
【００１９】
まず、ステップＳ１では、オペレーターが監視画面７上で、電流設定値及び所定時間値を設定し、及び前記負荷３の選択、即ち、工場設備３ａ，３ｂ，３ｃ，３ｄに優先順位を入力する。入力は、電力系統１において各設備を稼働させる前に行う。
【００２０】
これら各設定事項の入力が終了するとステップＳ２の処理へ移行する。ステップＳ２では、過電流検知手段４が変圧器２ｃの電流監視を開始する。そして、変圧器２ｃに前記オペレーターによって入力された設定値以上の電流の流れがあることを検知すると（ステップＳ３）、タイマーが作動する（ステップＳ４）。前記設定値以上の電流の流れが、前記設定された所定時間値以内に解消されたときは、前記タイマーの作動が停止し（ステップＳ５）、ステップＳ２に戻る。
【００２１】
前記設定値以上の電流の流れが、前記設定された所定時間値を超えたとき、これを確認したら（ステップＳ６）、直ちにステップＳ７の処理へ移行する。
【００２２】
ステップＳ７では、過電流検知手段４が前記遮断命令出力手段５に過電流検知情報を出力し、ステップＳ８へ移行する。
【００２３】
ステップＳ８では、前記過電流検知手段４による過電流検知情報の出力を受けた遮断命令出力手段５が、前記選択された負荷３を遮断する選択負荷遮断手段６に対し、遮断命令を出力し、ステップＳ９へ移行する。
【００２４】
ステップＳ９では、前記遮断命令出力手段５による遮断命令を受けた選択負荷遮断手段６が、前記選択された負荷３を遮断する。
【００２５】
これにより、変圧器２ｃの過負荷状態が解消され、該変圧器２ｃの遮断が回避され、他方、残った負荷は稼働を続けることになる。
【００２６】
なお、上記選択負荷遮断システムにおいては、選択負荷遮断手段６により、予め選択してある負荷３が遮断されたときに、該負荷３が遮断されたことを示す選択負荷遮断情報を監視画面７上等に出力する表示手段（不図示）を備えていてもよい。このような表示手段を備えていれば、現在の負荷３の稼働状況が一目で分かる。
【００２７】
また、本例では、電力系統における電源が発電機２ａ，２ｂと電力会社からの受電電圧を降圧するための変圧器２ｃから構成されているが、これに限られるものではなく、電源が発電機のみで構成されている場合にも同様に適用することができる。
【００２８】
【発明の効果】
以上のように本発明によれば、複数の電源のうち、一部の電源の出力低下或いは停止により供給電力量が減少して、他の電源が過負荷状態となり、これに設定値以上の電流の流れが生じると、これを検知して、複数の負荷の中から予め選択してある負荷を遮断するので、これにより、前記他の電源の過負荷状態が解消され、この電源の遮断を回避することができ、他の電源からの供給電力量の有効利用を可能とし、そして、前記遮断する負荷の選択にあっては、他の電源に対する過負荷状態を解消し他の電源の遮断を回避するものとして予め選択してある負荷が遮断されるので、設備稼働への影響を最小限に抑えることができる。
【図面の簡単な説明】
【図１】本発明に係る選択負荷遮断による電源遮断回避システムの一例を示すブロック図である。
【図２】本発明に係る選択負荷遮断システムにおける処理手順を示すフローチャートである。
【符号の説明】
１      電力系統
２      電源
２ａ    第１発電機
２ｂ    第２発電機
２ｃ    変圧器
３      負荷
３ａ，３ｂ，３ｃ，３ｄ    工場設備
４      過電流検知手段
５      遮断命令出力手段
６ａ，６ｂ，６ｃ，６ｄ    負荷遮断器
６      選択負荷遮断手段
７      監視画面
【図１】
2004343945.tif 000003
【図２】
2004343945.tif 000004